(57)【要約】【課題】電力供給装置と電動駆動装置を備えている自動車において、電力供給装置に電力供給装置が損傷するような外力が作用したことを確実に検出したい。【解決手段】  ケース３０内に電力供給装置を収容しておく。ケース３０をケースベース１０に相対変位可能に支持しておく。ケース３０にはコネクタソケット４８を固定しておく。ケースベース１０にはコネクタプラグ１８を固定しておく。ケース３０がケースベース１０に対して相対変位する前は、コネクタソケット４８とコネクタプラグ１８が接続されており、ケース３０がケースベース１０に対して相対変位すると、コネクタソケット４８とコネクタプラグ１８が離反して電気的接続関係が失われる。コネクタソケット４８とコネクタプラグ１８が離反して電気的接続関係が失われた時に、制御部でメインスイッチを遮断する。【選択図】  図１
2013047038.tif 000002
【特許請求の範囲】
【請求項１】
バッテリとスイッチと電力供給装置と電動駆動装置を備えており、バッテリ電力をスイッチと電力供給装置を介して電動駆動装置に供給して走行するとともに、スイッチを遮断してバッテリと電力供給装置の間を非導通状態に切換可能な自動車であり、
電力供給装置はケース内に収容されており、
ケースがケースベースに対して相対変位可能に支持されており、
ケースとケースベースに跨って両者の相対変位を検出する検出装置が配置されており、
検出装置が相対変位を検出した時にスイッチを遮断する制御部を備えている自動車。
【請求項２】
検出装置は、ケースとケースベースの一方に固定されているコネクタプラグと、ケースとケースベースの他方に固定されているコネクタソケットを備えており、
ケースとケースベースが相対変位するとコネクタプラグとコネクタソケットが離脱することを特徴とする請求項１に記載の自動車。
【請求項３】
ケースをケースベースに支持するブラケットに、ケースとケースベースの相対変位を許容する長溝が形成されていることを特徴とする請求項１または２の自動車。
【発明の詳細な説明】
【技術分野】
【０００１】
本明細書は、自動車に関する技術を開示する。
【背景技術】
【０００２】
バッテリとスイッチと電力供給装置と電動駆動装置を備えており、バッテリが供給する電力を電動駆動装置に供給して走行するとともに、スイッチを遮断してバッテリと電力供給装置の間を非導通状態に切換可能な自動車が開発されている。電動駆動装置に供給する電圧は高電圧であり、漏電・感電の可能性を秘めている。スイッチを遮断することで、高電圧に対する安全が確保される。
【０００３】
特許文献１に、電力供給装置の前面に感圧センサを配置し、感圧センサで所定値以上の圧力を検知した時にスイッチを遮断する技術が開示されている。特許文献１の技術では、自動車が衝突して電力供給装置のケースが破損するような場合には、スイッチを遮断することによって電力供給装置にバッテリ電圧がかからないようにし、電力供給装置のケースが損傷したときの安全を確保する。
【先行技術文献】
【特許文献】
【０００４】
【特許文献１】特開２０１０−０７６７３６号公報
【発明の開示】
【発明が解決しようとする課題】
【０００５】
電力供給装置のケースを破損させる外力のかかり方は様々であり、例えば、正突、斜突、オフセット衝突、アンダーライド衝突、オーバーライド衝突、オフセットアンダーライド衝突、オフセットオーバーライド衝突などの様々なパターンがある。電力供給装置の前面に感圧センサを配置する技術では、スイッチを遮断するべき場合を検知し損ねることがある。
本明細書では、スイッチを遮断するべき場合を確実に検知する技術を記載する。
【課題を解決するための手段】
【０００６】
請求項１の発明は、バッテリとスイッチと電力供給装置と電動駆動装置を備えており、バッテリ電力をスイッチと電力供給装置を介して電動駆動装置に供給して走行する自動車に関する。特に、スイッチを遮断してバッテリと電力供給装置の間を非導通状態に切換ることでき、それによって安全が確保される自動車に関する。
電力供給装置はケース内に収容されている。ケースはケースベースに対して相対変位可能に支持されている。ケースとケースベースに跨って両者の相対変位を検出する検出装置が配置されている。検出装置が相対変位を検出した時にスイッチを遮断する制御部が設けられている。
【０００７】
上記の装置によると、電力供給装置を収容しているケースにケースが損傷するような外力が加われば、ケースはケースベースに対して相対変位し、相対変位したことが検出装置で検出される。検出装置が相対変位を検出すると、バッテリと電力供給装置を接続しているスイッチが遮断される。上記装置によると、スイッチを遮断するべき場合を確実に検出してスイッチを遮断することができる。
【０００８】
自動車には、エアバックを作動させるセンサや、サテライトセンサなどが配置されており、衝突の発生を検出することができる。これらの既存の衝突センサに加えて、ケースがケースベースに対して相対移動したことを検出する装置を併用すると、正突、斜突、オフセット衝突、アンダーライド衝突、オーバーライド衝突、オフセットアンダーライド衝突、オフセットオーバーライド衝突などの様々な衝突を確実に検出することができ、スイッチを遮断するべき場合を確実に検出してスイッチを遮断することができる。
上記構成を備えていると、オフセットアンダーライド衝突などの既存の衝突センサでは検出できないよう場合でも確実に検出することができる。
【０００９】
一つの具体的な態様では、ケースにコネクタプラグを固定し、ケースベースにコネクタソケットを固定することによって、検出装置を構成する。ケースにコネクタソケットを固定し、ケースベースにコネクタプラグを固定してもよい。ケースとケースベースが相対変位するとコネクタプラグとコネクタソケットが離脱する関係にしておくことで、検出装置を構成することができる。
【００１０】
上記構成を備えていると、ケースに強い外力が作用した場合には、ケースがケースベースに対して相対変位し、コネクタプラグとコネクタソケットが離脱する。コネクタプラグとコネクタソケットの電気的接続関係が失われたことから、ケースに強い外力が作用したことを検出することができる。
【００１１】
ケースをケースベースに支持するブラケットに、ケースとケースベースの相対変位を許容する長溝を形成しておくことが好ましい。
【００１２】
上記によると、ケースがケースベースに対して相対変位する場合、長溝の範囲内で相対変位する。相対変位した後もケースとケースベースは離反しない。ケース位置が完全に不安定となるのを防止することができる。ここでいう長溝とは、長溝と長穴を総称したものである。
【発明の効果】
【００１３】
本明細書に記載されている装置によると、電力供給装置を収容しているケースが損傷して高電圧に対する安全対策が必要な場合には、バッテリと電力供給装置を接続しているスイッチを遮断してバッテリと電力供給装置の間を非導通状態に切換える。本明細書に記載されている装置によると、スイッチを遮断して安全対策を講ずる必要がある事象を確実に検出することができる。
【図面の簡単な説明】
【００１４】
【図１】ケースベースとケースとコネクタプラグとコネクタソケット等の分解斜視図。
【図２】ケースベースとケースとコネクタプラグとコネクタソケットを組み立てた状態の斜視図。
【図３】ケースがケースベースに対して相対的に後方に移動した状態の斜視図。
【図４】バッテリとスイッチと電力供給装置と検出装置と制御装置を示す図。
【図５】制御装置が実施する処理手順図。
【発明を実施するための最良の形態】
【００１５】
下記に示す実施例の主要な特徴を列記する。
（特徴１）ケースとケースベースをブラケットによって相対変位可能に支持する。ケースベースに接する位置のブラケットに、車両の前後方向に長い溝が形成されている。ケースベースにはねじ穴が形成されている。ブラケットの長溝の幅よりも大径の頭部と小径の軸を持つねじをねじ穴にねじ込んで、ねじの頭部で長溝の両サイドを確定しているブラケットをケースベースに押付けることで、ケースをケースベースに支持する。そのねじ込み力は、ケースが損傷する外力よりもわずかに小さな外力がケースに作用するとケースが相対変位する値に調整されている。
（特徴２）コネクタは、ケースが損傷する外力よりも小さな外力で離反するものが選ばれている。
【実施例】
【００１６】
図１は、ケースベース１０とケース３０とコネクタプラグ１８とコネクタソケット４８を斜視した図である。ケース３０をケースベース１０によって支持する前の状態を示している。
ケースベース１０は、自動車のボディに固定されているブラケットであり、ねじ６０のためのねじ穴１２と、ねじ１４のためのねじ穴が設けられている。ねじ穴１２は３個存在し、ねじ１４のためのねじ穴は１個存在する。ケースベース１０は、自動車のボディに対して接地されており、接地電圧に維持される。
【００１７】
ケース３０は、直流を３相交流に変換するインバータ回路を収容している。インバータ回路に対する配線は、図示を省略している。ケース３０は、ほぼ直方体形状であり、自動車の前後方向に対して直交する前面と、右側面と、上側面と、左側面と、底面と、後面を備えている。右側面と上側面と左側面と底面は、自動車の前後方向に沿って伸びており、本明細書でいう側面に相当する。
ケース３０の前面にはねじ３２のためのねじ穴が２個設けられている。右側面と左側面にはねじ３８のためのねじ穴が各面２個ずつ設けられている。また、左側面にはねじ４４のためのねじ穴が２個設けられている。
【００１８】
ケース３０は、ブラケット３４とブラケット４０とねじ６０で、ケースベース１０に固定されている。ケース３０の底面とケースベース１０の間には、間隙が確保される。ブラケット３４のねじ穴３６とブラケット４０のねじ穴４２は自動車の前後方向に長い溝状であり、前方部分が開いている形状を有する。ケース３０の右側面のブラケット（図面では陰になっていて見えない）のねじ穴の形状も同様である。ケース３０は、ブラケット３４とブラケット４０とねじ６０を介してケースベース１０に導通しており、接地電圧に維持される。
【００１９】
コネクタソケット４８は、ブラケット４６とねじ４４でケース３０の左側面に固定されている。コネクタソケット４８の外側は絶縁部材で覆われている。
コネクタプラグ１８はブラケット１６とねじ１４によってケースベース１０に固定されている。コネクタソケット１８の外側は絶縁部材で覆われている。コネクタソケット１８からは配線６２、６３が伸びている。
【００２０】
図２が、組み付け状態を示している。コネクタプラグ１８はコネクタソケット４８と接続される。コネクタソケット４８内には、２端子を接続する回路が収容されている。コネクタプラグ１８とコネクタソケット４８が接続されていれば、配線６２と配線６３が接続される。後記するように、配線６２には非接地電位が印加される。コネクタプラグ１８とコネクタソケット４８が接続されていれば、配線６３には非接地電位が印加される。コネクタプラグ１８とコネクタソケット４８の接続が失われれば、配線６３の電位は接地電位に低下する。
【００２１】
図３は、ケース３０に前方から後方に向かう外力が作用して、ケース３０が後方に相対変位した状態を示している。ブラケット３４が長溝３６を備えており、ブラケット４０が長溝４２を備えていることから、ケース３０はケースベース１０に対してスムースに相対変位する。尚且つ、ケース３０とケースベース１０の間には間隙が確保されているため、外力がかかるとケース３０は後方にスムースに移動する。これにより、ケース３０にかかる衝撃が緩和できる。
【００２２】
コネクタソケット４８はケース３０に固定されているため、外力がかかるとケース３０と共に後方に移動する。その結果コネクタプラグ１８とコネクタソケット４８の接続関係が失われる。コネクタプラグ１８とコネクタソケット４８が遮断されれば、配線６２と配線６３は非導通となり、配線６３の電位は接地電位に低下する。
【００２３】
図４において、参照番号９６は多数のバッテリを直列に接続した高圧バッテリであり、スイッチ（システムメインリレー）９０を介して、ケース３０に収容されている電力供給装置（実施例ではインバータ）にバッテリ電力を供給する。ケース３０とモータ９９の間は３相ケーブル９８で接続されており、モータ９９はインバータから供給される電力によって回転し、自動車が走行する。参照番号７０は、制御装置であり、スイッチ９０の開閉状態は制御装置７０によって制御され、インバータの動作も制御装置７０によって制御される。
【００２４】
配線６２の一端は、制御装置７０が内蔵しているプラス５ボルトの電源端子７２に接続されており、他端は、コネクタプラグ１８の一方の端子に接続されている。配線６３の一端は、オペアンプ７６に接続されており、他端は、コネクタプラグ１８の他方の端子に接続されている。配線６３は、電流制限回路７４を介して接地されている。
コネクタプラグ１８とコネクタソケット４８が接続されていれば、配線６２と配線６３が導通し、配線６３の電位はプラス５ボルトに維持される。ケース３０が後方に移動してコネクタプラグ１８とコネクタソケット４８が遮断されると、配線６２と配線６３は非導通状態となり、配線６２と配線６３は接地電圧に変化する。
【００２５】
配線６３がプラス５ボルトであれば、オペアンプ７６の出力はハイである。配線６３が接地電圧に低下すると、オペアンプ７６の出力はローに反転する。オペアンプ７６の出力はＣＰＵ７８に入力される。ＣＰＵ７８はコネクタプラグ１８とコネクタソケット４８が接続されていて配線６３の電圧がプラス５ボルトに維持されているか、コネクタが外れて配線６３の電圧が接地電圧になったかを検出する。
ＣＰＵ７８は、コネクタが外れたことを検出すると、スイッチ９０を遮断し、電力供給回路（インバータ）にバッテリ電力が供給されないようにする。ケースが損傷して電力供給回路（インバータ）が露出している場合、あるいはケースが損傷して電力供給回路とケース間の絶縁状態が破られるような場合に、電力供給回路（インバータ）に高電圧が生じないようになっている。
【００２６】
図５は、ＣＰＵ７８が実行する処理手順を示し、短時間間隔で繰り返し実行される。ステップＳ２ではオペアンプ７６の出力がハイかローかを検出する。ハイであれば、コネクタが接続されて配線６２と配線６３が導通してプラス５ボルトに維持されている正常状態であることから、処理を終了する。正常時はその処理手順が繰り返し実行される。
コネクタが外れると、ステップＳ２がローとなる。その場合には、ステップＳ４でスイッチ９０を遮断し、ステップＳ６で電力供給回路(インバータ)の動作を停止させる。
【００２７】
上記では、ケース内にインバータが収容されている場合を説明した。ケース３０内に、インバータと昇圧装置が収容されていることもある。あるいは、ケース３０とスイッチ９０の間に、別のケースに収容されている昇圧回路が挿入されていてもよい。いずれの場合も、安全対策を講じる必要があるときにはスイッチ９０を遮断して安全を確保することができる。
【００２８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００２９】
１０：ケースベース
１２：ねじ穴
１４：ねじ
１６：ブラケット
１８：コネクタプラグ
３０：ケース
３２：ねじ
３４：ブラケット
３６：ブラケットねじ穴
３８：ねじ
４０：ブラケット
４２：ブラケットねじ穴
４４：ねじ
４６：ブラケット
４８：コネクタソケット
６０：ねじ
６２：配線
６３：配線
７０：制御部
７２：プラス５ボルト端子
７４：電流制限素子
７６：オペアンプ
７８：CPU
８０：信号線
８２：信号線
９０：スイッチ（システムメインリレー）
９２：電源線
９４：電源線
９６：高圧バッテリ
９８：３相ケーブル
９９：モータ
【図１】
2013047038.tif 000003
【図２】
2013047038.tif 000004
【図３】
2013047038.tif 000005
【図４】
2013047038.tif 000006
【図５】
2013047038.tif 000007